(57)【要約】      （修正有）【課題】研磨フィルタのフィルタエレメントおよび支持バンドを提供する。【解決手段】フィルタエレメントは、ろ過材でできている四角形のバッグである。フィルタエレメントは、研磨フィルタのフィルタフレーム８の周りに配置可能な導入開口１２を具備する。フィルタエレメントは、エレメントの側面１５を横切って渡るように、配置可能な少なくとも１つの支持バンド８を更に備える。支持バンドは、形状ロッキングにて互いにロック可能である第１の固定用エレメント１０ａと、第２の固定用エレメント１０ｂとを具備する。【選択図】図３
0003152005.tif 000002
【実用新案登録請求の範囲】
【請求項１】
研磨フィルタのフィルタエレメントであって、
前記フィルタエレメント（３）は、ろ過材ででき、第１および第２の側面（１５）と、前記側面に接続している端部（１１ａ〜１１ｄ）とを具備している四角形のバッグであり、
このフィルタエレメントは、前記フィルタエレメントの少なくとも１つの端部（１１ａ）に少なくとも１つの導入開口（１２）と、前記導入開口を閉じる手段（１３）とを具備し、
前記フィルタエレメント（３）の前記第１の端部（１１ｃ）と、前記第２の端部（１１ｄ）とは、互いに対向し、前記フィルタエレメント（３）が前記研磨フィルタに含まれるフィルタフレーム（８）の周りの導入開口（１２）を介して配置された後に、側面（１５）に折りたたみ（１７）を作るための引き締め紐（１６）を提供され、
前記フィルタエレメント（３）は、前記研磨フィルタのフローチャネル（６）に前記フィルタエレメント（３）の内部を接続するためのフロー開口（５）を具備し、
前記フィルタエレメント（３）は、前記フィルタエレメント（３）の少なくとも１つの側面（１５）を横切って渡るように、配置可能な少なくとも１つの支持バンド（９）を具備し、
前記フィルタエレメントは、前記フィルタエレメントを取り囲んでいる支持バンド（９）が前記第１および第２の端部（１１ｃ、１１ｄ）の方へ位置がずれることを防止するために配置される支持手段をさらに具備し、
前記支持バンド（９）は、形状ロッキングにて互いにロック可能である少なくとも１つの第１の固定用エレメント（１０ａ）と、少なくとも１つの第２の固定用エレメント（１０ｂ）とを備えていることを特徴とするフィルタエレメント。
【請求項２】
前記支持バンド（９）は、少なくとも１つのステッチ（２１）で前記フィルタエレメント（３）に固定されることを特徴とする請求項１のフィルタエレメント。
【請求項３】
前記支持バンド（９）は、着脱可能に、接続可能である機械的な形状ロッキングエレメント（１０）を具備し、
前記形状ロッキングエレメントは、第１のクランプと、第２のクランプとを含み、
前記第１のクランプは、オス固定具を具備し、前記第２のクランプは、メス固定具を具備し、
前記第１のクランプは、少なくとも部分的に前記第２のクランプに取り付けるように配置可能であり、それによって、前記固定用エレメントが互いに形状ロッキングでロックすることを特徴とする請求項１又は２のフィルタエレメント。
【請求項４】
前記支持バンド（９）と接続して、その長さを調整するための手段を有することを特徴とする請求項１〜３のいずれか１項のフィルタエレメント。
【請求項５】
前記フィルタエレメント（３）は、間隔をおいて前記フィルタエレメントに固定される前記第１の支持バンドと、前記第２の支持バンドとを具備し、
前記第１の支持バンドは、前記第１の端部（１１ｃ）から距離（Ｌ）をおいて位置づけられ、前記第２の支持バンドは、前記第２の端部（１１ｄ）から距離（Ｌ）をおいて位置づけられることを特徴とする請求項１〜４のいずれか１項のフィルタエレメント。
【請求項６】
研磨フィルタのフィルタエレメントのための支持バンドであって、
前記支持バンド（９）は、形状ロッキングに基づいて少なくとも１つの迅速な固定用エレメント（１０ａ、１０ｂ）を具備することを特徴とする支持バンド。
【考案の詳細な説明】
【技術分野】
【０００１】
本考案は、研磨フィルタのためのバッグ状（ｂａｇｌｉｋｅ）のフィルタエレメントに関し、それは湿式フィルタ媒体等の媒体フィルタでできており、湿式フィルタリングのために適用できる。バッグは、それがフィルタデバイスのフレーム周辺で取り付けられる（ｆｉｔｔｅｄ）ことを可能にする導入開口（ｉｎｓｔａｌｌａｔｉｏｎ  ｏｐｅｎｉｎｇ）を具備する。加えて、バッグは、フロー開口（ｆｌｏｗ  ｏｐｅｎｉｎｇ）を具備する。そして、それを介して、バッグはフィルタデバイスのフローチャネルに接続可能である。バッグの側面はフィルタフレームに対して折りたたまれる。それによって、より大きいフィルタエリアは提供される。フィルタフレームから間隔をおいて配置されるフィルタエレメントの側面の動きは、特に、クリーニングサイクルの間、フィルタエレメント、および、フィルタフレーム周辺に配置される１つ以上の支持バンドによって限定される。本考案は、支持バンドにも関する。技術分野は、独立請求項の前文において更に詳細に記載されている。
【背景技術】
【０００２】
研磨フィルタが、例えば、化学工業において、および、鉱山業において使われる。そのとき、特に、微粒子の固体は液体から隔てられることになっている。例えば、Ｌａｒｏｘ社と呼ばれている会社は、商標Ｓｃｈｅｉｂｌｅｒ（登録商標）の下で研磨フィルタを製造する。研磨フィルタは、フィルタフレームに配置される湿式のろ過材（ｆｉｌｔｅｒ  ｍｅｄｉｕｍ）でできているフィルターバッグを使用する。一般的に、研磨フィルタは、フィルターチャンバに並んで配置される複数のフィルタフレームを具備する。フィルターをかけられるスラリーは、フィルターチャンバ、および、フィルターバッグによって規定される空間に、フィルターチャンバに適切な圧力で導かれる。目的は、フィルターバッグを介して層流としてフィルターをかけられるスラリーをガイドすることであり、それによって、スラリー内の固体パーティクルは、ろ過材の構造に保持され、精製された液体がフィルターバッグ内のそれを通らされる。精製された液体は、バッグ内部から放出通路（ｄｉｓｃｈａｒｇｅ  ｃｈａｎｎｅｌ）へ、そして、更なる処理のために先へと運ばれる。一般的に、研磨フィルタは、いくつかの他のフィルタデバイスのフィルタリングの結果を補うために、プロセス中に配置される。
【０００３】
フィルタエレメントの構造内に保持されるパーティクルは、バックウォッシングによって適切な間隔で除去されることができる。バッグ内部のその場合において、圧力媒体、例えば水または空気は導かれる。そして、それは、標準流れの向きの反対側の方向に、すなわち裏返しにしてから、フィルターバッグを貫通し、そして、ろ過材に付着しているパーティクルを分離する。洗浄の間、１つ以上の支持バンドがバッグ周辺に配置され抑制されるために、バッグは、膨張する力を受ける。フィルタエリアを増加させるために、横方向において、フィルタフレームより明らかに大きくなるように、フィルターバッグは必要な大きさにされる。そして、それによって、フィルターバッグがフィルタフレームに折りたたまれて締められる。支持バンドは、順番に、フィルターバッグがバックウォッシングの間、極端にふくらまされるのを防止する。一般的に、バッグが折り重なって締められる同じバンドまたは紐が、支持バンドとして使われる。問題は、バッグ周辺に紐を配置して、紐を拘束することは、実行することが難しく、および、遅い作業であるということである。
【考案の概要】
【０００４】
本考案の目的は、新規な、および、改良された、研磨フィルタのフィルタエレメント、および、支持バンドを提供することである。
【０００５】
本考案のフィルタエレメントは、支持バンドが形状ロッキング（ｓｈａｐｅ  ｌｏｃｋｉｎｇ：形状錠）にて互いにロック可能である、少なくとも１つの第１の固定エレメントと、少なくとも１つの第２の固定エレメントとを具備することを特徴とする。
【０００６】
本考案に係る研磨フィルタのフィルタエレメントの支持バンドは、支持バンドが形状ロッキングに基づいて少なくとも１つの迅速な（ｑｕｉｃｋ）固定用エレメント（ｆａｓｔｅｎｉｎｇ  ｅｌｅｍｅｎｔ）を具備することを特徴とする。
【０００７】
本考案についての基本的な考えは、研磨フィルタの側面全体に、１つ以上の支持バンドが配置されるということである。支持バンドは固定用エレメントを具備する。そして、それによって、その端部は接続可能である。固定用エレメントによって提供されるアタッチメントは、形状ロッキングに基づくものである。
【０００８】
本考案は、形状でロックされる固定用エレメントが、処理条件中に互いに迅速で、ロックしやすい利点がある。加えて、ロッキングは、信頼性が高い。
【０００９】
実施形態についての基本的な考えは、支持バンドがフィルタエレメントの周りに配置されるということである。支持バンドは、固定用エレメントによってループ状のアレイを形成するようにフィルタエレメントの周りを拘束することができる。
【００１０】
実施形態についての基本的な考えは、支持バンドがフィルタエレメントの片面部分だけに配置されるということである。両方の側面は、１つ以上の支持バンド部分から成ることができる、特定の、別々の支持バンドを具備することができる。
【００１１】
実施形態についての基本的な考えは、支持バンドが少なくとも１つのステッチ（ｓｔｉｔｃｈ）でフィルタエレメントに取り付けられるということである。その場合、支持バンドは、すでにフィルタエレメントと接続してある。それによって、使用し、迅速に取り付けることは容易である。加えて、支持バンドは、定位置で適切にとどまる。その理由は、次のことにある。ステッチは、使用中に、支持バンドがフィルタエレメントに対して、すべるのを防止する。
【００１２】
実施形態についての基本的な考えは、支持バンドが着脱可能に相互接続できる機械的な形状ロック部材を具備するということである。形状ロック部材に含まれる第１のクランプにはオス固定具が設けられるとともに、第２のクランプにはメス固定具が設けられている。第１のクランプは、部分的に少なくとも第２のクランプに押し込まれることができる。それによって、オス固定具はメス固定具によって形状ロックする。
【００１３】
実施形態についての基本的な考えは、支持バンドと接続して、その長さを調整するための手段があるということである。その場合、閉ループのサイズ、および、支持バンドによって提供される引き締めを調整することは、可能である。
【００１４】
実施形態についての基本的な考えは、フィルタエレメントが間隔を有してフィルタエレメントに接続される第１の支持バンド、および、第２の支持バンドを具備するということである。更に、第１の支持バンドは、エレメントの第１の端部から少し離れており、対応して、第２の支持バンドは、第２の端部から少し離れている。
【００１５】
実施形態についての基本的な考えは支持バンドが第１のバンド部分、および、第２のバンド部分を具備するということである。そして、それぞれは、例えば、別々にステッチでフィルターバッグに接続される。支持バンド部分は、相互接続されるときに、フィルタエレメント周りの閉ループの形で、支持バンドを形成する固定用エレメントによって提供される。固定用エレメントは、第１および第２のバンドの先端部分に配置されることができる。
【００１６】
実施形態についての基本的な考えは、支持バンドの第１の端部がフィルタエレメントに接続され、それの他の端部、すなわち自由端は、第１の固定用エレメントによって提供される。支持バンドの他の端部は、フィルタエレメントの周りに配置可能であり、第１の端部と、第２の端部との間の第２の固定用エレメントに接続可能である。したがって、支持バンドは、それ自体のまわりに閉ループを形成するように配置される。第２の固定用エレメントの位置を変えることによって、支持バンドによって提供される引き締めを、容易に調整することは、可能である。
【００１７】
実施形態についての基本的な考えは、フィルタエレメントが支持小穴（ｓｕｐｐｏｒｔ  ｅｙｅｌｅｔ）等によって提供されるということである。そして、それは支持バンドが位置がずれるのを防止する。支持小穴は、例えば、縫うことによってフィルタエレメントに永久に取り付けられることができる例えば布小穴（ｆａｂｒｉｃ  ｅｙｅｌｅｔ）であることができる。支持バンドは、順番に、フィルタエレメントと別れた部分とすることができ、および、支持小穴を介して通過されることができる。同じ古い支持バンドが、新しいフィルタエレメントを支持するのに用いられることができる。
【００１８】
実施形態についての基本的な考えは、複数回、支持バンドの固定用エレメントが開けられることが可能で、および、閉められることが可能である。その場合、支持バンドは、フィルターバッグが変わるときに、開閉するのが容易である。
【００１９】
実施形態についての基本的な考えは、支持バンドの固定エレメントが永久に相互接続するために配置されるということである。そのとき、それらは互いに形状ロックされるものである。フィルタエレメントが新しいものによって置き換えられるときに、支持バンドがカットされ、または、固定用エレメントは、こわされる。この種類の固定用配置は、特に信頼性が高い接続を確保する一方、構造は非常に単純であることができる。
【００２０】
本考案のいくつかの実施形態は、添付の図面を通してより詳細に記載されている。
【００２１】
明確にするため、図において、本考案のいくつかの実施形態は、簡略化された方法で示される。同様の符号が図の同様の部分を参照する。
【図面の簡単な説明】
【００２２】
【図１】研磨フィルタの概略側面図である。
【図２】図１の研磨フィルタの一部を方向Ａから見た概略図である。
【図３】本考案のフィルタエレメント、および、その直立した端部に配置される支持バンドの概略側面図である。
【図４】フィルタフレームの折りたたみにおいて締められた後の図３のフィルタエレメントを概略的に示す図である。
【図５】支持バンドの詳細を概略的に示す図である。
【図６ａ】さらに別の支持バンドを概略的に示す図である。
【図６ｂ】さらに別の支持バンドを概略的に示す図である。
【図７】別の支持バンドの解を概略的に示す図である。
【図８】さらに支持バンド部分から成る支持バンドのフィルタエレメントの部分を示す図である。
【考案を実施するための形態】
【００２３】
図１は研磨フィルタ１を示す。そして、それは、第１のチャンバ部分２ａ、および、第２のチャンバ部分２ｂから成ることができるフィルターチャンバ２を具備する。第２のチャンバ部分２ｂは、例えば、チャンバ２内部のフィルタエレメント３が変えられるときに、チャンバを開くために、分離されることができて、方向Ｂに動かされることができる。フィルターをかけられるスラリー、すなわち液体および固体の混合物は、引込みチャネル４に沿ってチャンバ２に導入されることができる。フィルタリングにおいて、液体は、バッグ状のフィルタエレメント３を貫通することが可能であり、そして、そこから、それはバッグのフロー開口５を通って、送出チャネル６、および、更にフィルタから間隔をおいて配置される放出の固定用エレメント７を介して流れることができる。フィルタエレメント３は、フィルタフレーム８に配置される。複数の、フィルタエレメント３およびフィルタフレーム８からなる全体構成は、並んで配置され、それらの各々は、送出チャネル６に接続される。図１、および、特に図２からも、フィルタエレメント３のまわりに、配置された１つ以上の支持バンド９であることが明らかである。そして、それは、フィルタエレメント３がバックウォッシングの間、極端にふくらんむのを防止する。支持バンド９との接続において、支持バンド９が閉ループに接続される固定用エレメント１０の手段がある。
【００２４】
図３はフィルタエレメント３の側面図であり、その１つの端部１１ａに提供される導入開口１２を介してフィルタフレーム８に配置されることができる。導入開口１２との接続において、ジッパー１３または他のいかなる開口を閉じる閉鎖機構も、あることができる。例えば、他の端部１１ｂから１１ｄまでは、ステッチ１４によって閉でられ、それによって、フィルタエレメント３がバッグ状の部分となる。フィルタエレメント３の側面１５は、実際のフィルタ表面をとしての機能を果たす。フィルタエレメント３の幅Ｗ１は、フィルタフレーム８の幅に対して３〜４倍より大きい寸法に決められることができる。フィルタエレメント３の水平な端部１１ｃおよび１１ｄは、引き締め紐１６等の部材を具備する。それによって、フィルタエレメント３の側面１５が図４に示すようなより小さい幅寸法Ｗ２に横方向に締められることができる。その場合、折りたたみ（ｆｏｌｄｓ）１７は、側面１５に形成される。そして、それのため、側面１５のフィルタエリアは、フィルタフレーム８に対して大きくなる。端部１１ｃおよび１１ｄは、開口１８を具備することができる。そして、それを通って引き締め紐１６は配置される。更に、端部１１ｄは、フロー開口５を具備し、それを通って、バッグ内にろ過された液体は、放出され、一方、それを通って、圧力媒体は、バックウォッシングの間、バッグに送られることができる。
【００２５】
図３、および、図４から明らかなように、支持バンド９は、端部１１ａおよび１１ｂを介して水平に渡るように配置されることができる。支持バンド９は、フィルタエレメント３の端部１１ｃおよび１１ｄから距離Ｌで位置づけられることができる。支持バンド９は、例えば、ステッチでフィルタエレメント３に取り付けられることができ、それにより、それらは、それらの位置を保持し、使用の間、抜け出さないようにされる。当然に、垂直方向Ｈの支持バンドの移動は、また、いくつかの他の方法で防止されることができる。
【００２６】
図５は、支持バンド９、クランプ状（ｃｌａｍｐ―ｌｉｋｅ）の固定用エレメント１０ａおよび１０ｂによって提供される接続端部９ａおよび９ｂを示す。固定用エレメント１０ａは、オス固定用エレメントであり、対応して、固定用エレメント１０ｂは、メス固定用エレメントであり、それによって、固定用エレメント１０ａを受けるように配置されている。固定用エレメント１０ａおよび１０ｂの両方は、ロックショルダ１０ａ、１９ｂを具備する。そして、それは、互いに固定用エレメントをロックする。メス固定用エレメントの枝路（ｂｒａｎｃｈｅｓ）を広げることによって、ロッキングを開くことが可能である。当然、状況がその逆であるかもしれず、すなわち、ロッキングは、オス固定用エレメントのロックショルダ１９ａが動くことによって開かれる。ロックショルダは、上で記載されている横方向の代わりに、支持バンドの厚さの方向に動かすように、更に配置されることができる。当然に、固定用エレメントは、形状ロッキングに基づいて何らかの構造を有することができる。図からも、例えば、支持バンド９がステッチ２１により接続点２０でフィルタエレメント３に永久に接続されることができることが明らかである。更に、接続点２０で、フィルタエレメント３に接続されるアタッチメント小穴２１が、あることができ、そこを通って、支持バンド９が着脱可能に配置されることができる。
【００２７】
図６ａ、および、図６ｂは、第１の固定用エレメント１０ａが支持バンド９の自由端に配置され、第２の固定用エレメント１０ｂは、支持バンド９の長手方向において動かされることができるように支持バンド９に配置される解を示している。支持バンド９は、したがって、固定用エレメント１０ｂを通り抜ける。固定用エレメント１０ｂの位置を変えることによって、形成される閉ループのサイズを選ぶことは、可能である。図６ｂにおいて、支持バンド９がフィルタエレメント３に接続される接続点２０は、また、示される。
【００２８】
更に、解についての基本的な考えは、支持バンドが支持バンドの第１の端部で１つの固定用エレメントを具備するだけであり、それによって、支持バンドの他端は固定用エレメントを介して通過されることができ、そして、摩擦（ｆｒｉｃｔｉｏｎ）によってロックされることができる。支持バンドは、固定用エレメントと接続する摩擦部材の周りを通るように配置されることができ、より強い接続力を提供するために摩擦部材に対する力部材（ｆｏｒｃｅ  ｍｅｍｂｅｒ）で押圧されることができる。このタイプの解は、図７に示される。
【００２９】
図８はさらにもう一つの解を示し、それは、支持バンド９がフィルタエレメント３の周りで先の図のようなループを形成するものではなく、しかし、支持バンド９が接続点２０でフィルタエレメント３に接続されるバンド部分９ａ、９ｂを具備することができ、例えば、側面１５か端部１１に位置づけられることができる。バンド部分９ａ、９ｂは、形状ロッキングを利用する固定用エレメント１０ａ、１０ｂによって提供される。有利に、固定用エレメントは、開閉が迅速で容易な迅速固定用エレメントである。
【００３０】
いくつかの場合において、本願に示された形態がこのように他の形態にかかわりなく使用されることができ、一方、本願において示された形態は組み合わされることができ、必要に応じて、さまざまな組合せを提供する。
【００３１】
図面、および、関係する記載は、考案の考えを示すことを意図されるだけである。本考案の詳細は、請求の範囲内で、変化されることができる。
【符号の説明】
【００３２】
１…研磨フィルタ、２…チャンバ、２ａ…チャンバ部分、２ｂ…チャンバ部分、３…フィルタエレメント、４…引込みチャネル、５…フロー開口、６…送出チャネル、７…固定用エレメント、８…フィルタフレーム、９…支持バンド、９ａ…接続端部、１０…固定用エレメント、１０ａ…固定用エレメント、１０ｂ…固定用エレメント、１１…端部、１１ａ…端部、１１ｂ…端部、１１ｃ…端部、１１ｄ…端部、１２…導入開口、１３…ジッパー、１４…ステッチ、１５…側面、１６…紐、１７…折りたたみ、１８…開口、１９ａ…ロックショルダ、１９ｂ…ロックショルダ、２０…接続点。
【図１】
0003152005.tif 000003
【図２】
0003152005.tif 000004
【図３】
0003152005.tif 000005
【図４】
0003152005.tif 000006
【図５】
0003152005.tif 000007
【図６ａ】
0003152005.tif 000008
【図６ｂ】
0003152005.tif 000009
【図７】
0003152005.tif 000010
【図８】
0003152005.tif 000011
【手続補正書】
【提出日】平成21年5月15日(2009.5.15)
【手続補正１】
【補正対象書類名】実用新案登録請求の範囲
【補正対象項目名】全文
【補正方法】変更
【補正の内容】
【実用新案登録請求の範囲】
【請求項１】
研磨フィルタのフィルタエレメントであって、
前記フィルタエレメント（３）は、ろ過材ででき、第１および第２の側面（１５）と、前記側面に接続している端部（１１ａ〜１１ｄ）とを具備している四角形のバッグであり、
このフィルタエレメントは、前記フィルタエレメントの少なくとも１つの端部（１１ａ）に少なくとも１つの導入開口（１２）と、前記導入開口を閉じる手段（１３）とを具備し、
前記フィルタエレメント（３）の前記端部のうち、第１の端部（１１ｃ）と、第２の端部（１１ｄ）とは、互いに対向し、前記フィルタエレメント（３）が前記研磨フィルタに含まれるフィルタフレーム（８）の周りの導入開口（１２）を介して配置された後に、側面（１５）に折りたたみ（１７）を作るための引き締め紐（１６）を提供され、
前記フィルタエレメント（３）は、前記研磨フィルタのフローチャネル（６）に前記フィルタエレメント（３）の内部を接続するためのフロー開口（５）を具備し、
前記フィルタエレメント（３）は、前記フィルタエレメント（３）の少なくとも１つの側面（１５）を横切って渡るように、配置可能な少なくとも１つの支持バンド（９）を具備し、
前記フィルタエレメントは、前記フィルタエレメントを取り囲んでいる支持バンド（９）が前記第１および第２の端部（１１ｃ、１１ｄ）の方へ位置がずれることを防止するために配置される支持手段をさらに具備し、
前記支持バンド（９）は、形状ロッキングにて互いにロック可能である少なくとも１つの第１の固定用エレメント（１０ａ）と、少なくとも１つの第２の固定用エレメント（１０ｂ）とを備えていることを特徴とするフィルタエレメント。
【請求項２】
前記支持バンド（９）は、少なくとも１つのステッチ（２１）で前記フィルタエレメント（３）に固定されることを特徴とする請求項１のフィルタエレメント。
【請求項３】
前記支持バンド（９）は、着脱可能に、接続可能である機械的な形状ロッキングエレメント（１０）を具備し、
前記形状ロッキングエレメントは、第１のクランプと、第２のクランプとを含み、
前記第１のクランプは、オス固定具を具備し、前記第２のクランプは、メス固定具を具備し、
前記第１のクランプは、少なくとも部分的に前記第２のクランプに取り付けるように配置可能であり、それによって、前記固定用エレメントが互いに形状ロッキングでロックすることを特徴とする請求項１又は２のフィルタエレメント。
【請求項４】
前記支持バンド（９）と接続して、その長さを調整するための手段を有することを特徴とする請求項１〜３のいずれか１項のフィルタエレメント。
【請求項５】
前記フィルタエレメント（３）は、間隔をおいて前記フィルタエレメントに固定される前記第１の支持バンドと、前記第２の支持バンドとを具備し、
前記第１の支持バンドは、前記第１の端部（１１ｃ）から距離（Ｌ）をおいて位置づけられ、前記第２の支持バンドは、前記第２の端部（１１ｄ）から距離（Ｌ）をおいて位置づけられることを特徴とする請求項１〜４のいずれか１項のフィルタエレメント。